(57)【要約】【課題】羽子板ボルト等の引き寄せ用のボルト部材を、接合部の内側からの施工によって効果的に締着することを可能にして、一対の木製骨組部材を強固に緊結させることのできるボルト受け金物を提供する。【解決手段】一対の木製骨組部材１１，１２の接合部において、一方の骨組部材１１の側面に取り付けられ、他方の骨組部材１２から支持されたボルト部材１５を締着することにより、他方の骨組部材１２を一方の骨組部材１１に引き寄せて緊結する際に使用するボルト受け金物１０であって、円筒部１６と、円筒部１６の一端部から外側に傘状に張り出して設けられた傘状頭部１７とからなり、円筒部１６及び傘状頭部１７を貫通して、内周面に雌ネジ溝１８が設けられた雌ネジ孔１９が形成されており、傘状頭部１７には、雌ネジ孔１９の外側部分に、周方向に間隔において分散配置された複数のビス孔２０が、傘状頭部１７を貫通して形成されている。【選択図】図１
2008190162.tif 000002
【特許請求の範囲】
【請求項１】
一対の木製骨組部材の接合部において、一方の骨組部材の側面に埋め込むように取り付けられ、他方の骨組部材から支持されたボルト部材を締着することにより、前記他方の骨組部材を前記一方の骨組部材に引き寄せて、前記一対の木製骨組部材を緊結する際に使用するボルト受け金物であって、
円筒部と、該円筒部の一端部から外側に傘状に張り出して設けられた傘状頭部とからなり、前記円筒部及び前記傘状頭部を貫通して、内周面に雌ネジ溝が設けられた雌ネジ孔が形成されており、前記傘状頭部には、前記雌ネジ孔の外側部分に、周方向に間隔において分散配置された複数のビス孔が、前記傘状頭部を貫通して形成されているボルト受け金物。
【請求項２】
前記傘状頭部は、円形の平面形状を有している請求項１に記載のボルト受け金物。
【請求項３】
前記傘状頭部の前記雌ネジ孔が開口する天面が、平坦な面となるように形成されている請求項１又は２に記載のボルト受け金物。
【請求項４】
前記傘状頭部の下面が、漏斗状のテーパー面となっている請求項１〜３のいずれかに記載のボルト受け金物。
【請求項５】
前記ビス孔が、前記雌ネジ孔の外側部分に、前記雌ネジ孔と同心の円に沿って周方向に等間隔をおいて６箇所に設けられている請求項１〜４のいずれかに記載のボルト受け金物。
【請求項６】
請求項１〜５のいずれかに記載のボルト受け金物を用いた木製骨組部材の接合部構造であって、
接合すべき一方の骨組部材の側面に先行孔を形成して、該先行孔に前記円筒部を挿入すると共に、前記傘状頭部の裏面を前記側面に密着させつつ、前記ビス孔に固定ビスを打ち込んで前記ボルト受け金物を前記側面に取り付け、該ボルト受け金物に前記他方の骨組部材から支持されたボルト部材を締着する木製骨組部材の接合部構造。
【請求項７】
前記一方の骨組部材の側面に形成した先行孔の周囲に座彫りを形成し、該座彫りに前記傘状頭部を前記側面から突出させることなく収容する請求項６に記載の木製骨組部材の接合部構造。
【請求項８】
前記先行孔は、前記ボルト受け金物の長さよりも深く形成される請求項６又は７に記載の木製骨組部材の接合部構造。
【発明の詳細な説明】
【技術分野】
【０００１】
本発明は、ボルト受け金物及び木製骨組部材の接合部構造に関し、特に、一対の木製骨組部材を緊結する際に使用するボルト受け金物及び該ボルト受け金物を用いた木製骨組部材の接合部構造に関する。
【背景技術】
【０００２】
例えば木造の住宅建築物においては、柱、梁、桁、胴差、土台等の木製骨組部材を、一方の骨組部材の側面に他方の骨組部材の端面を当接させて、例えばＬ字形状やＴ字形状に接合する場合、一方の骨組部材に他方の骨組部材を引き寄せて強固な接合部の構造を形成するための金物として、例えば羽子板ボルトが知られている。羽子板ボルトは、片ネジボルトのネジ部とは反対側の端部を羽子板状に形成し、羽子板面にポルトの締着孔を設けて、他方の骨組部材の側面に固定ボルトを用いて固定すると共に、片ネジボルトを一方の骨組部材の側面に貫通させ、貫通した外側の側面においてナットや座金を用いて緊結することにより、一方の骨組部材の側に他方の骨組部材を引き寄せるようにするものである。
【０００３】
また、このような羽子板ボルトでは、一方の骨組部材の外側に例えば外壁を取り付けた後は、外側の側面でナットを増締めして緊結力を高めることが困難であることから、一方の骨組部材の内側の側面から羽子板ボルトを増締めできるようにした金物も開示されている（例えば、特許文献１参照）。
【特許文献１】特開２００２−２４２３０５号公報
【発明の開示】
【発明が解決しようとする課題】
【０００４】
一方、羽子板ボルトは、片ネジボルト等のボルト部材を、一方の骨組部材の側面を貫通させて配置した状態で、貫通した外側の側面でナットや座金を用いて緊結するものであることから、例えば、リフォームによって新たに床や壁、梁等を追加したり、既存の建物の耐震性能を向上させるために、一対の木製骨組部材の接合部を羽子板ボルトにより後施工で補強する場合には、例えば屋外に面した外壁を一部剥がす必要を生じて、外壁の防水性等に悪影響を及ぼすことになると共に、補修の手間や見栄えの問題を生じることになる。
【０００５】
本発明は、このような従来の課題に着目してなされたものであり、羽子板ボルト等の引き寄せ用のボルト部材を、接合部の内側からの施工によって効果的に締着することを可能にして、一対の木製骨組部材を強固に緊結させることのできるボルト受け金物及び該ボルト受け金物を用いた木製骨組部材の接合部構造を提供することを目的とする。
【課題を解決するための手段】
【０００６】
本発明は、一対の木製骨組部材の接合部において、一方の骨組部材の側面に埋め込むように取り付けられ、他方の骨組部材から支持されたボルト部材を締着することにより、前記他方の骨組部材を前記一方の骨組部材に引き寄せて、前記一対の木製骨組部材を緊結する際に使用するボルト受け金物であって、円筒部と、該円筒部の一端部から外側に傘状に張り出して設けられた傘状頭部とからなり、前記円筒部及び前記傘状頭部を貫通して、内周面に雌ネジ溝が設けられた雌ネジ孔が形成されており、前記傘状頭部には、前記雌ネジ孔の外側部分に、周方向に間隔において分散配置された複数のビス孔が、前記傘状頭部を貫通して形成されているボルト受け金物を提供することにより、上記目的を達成したものである。
【０００７】
そして、本発明のボルト受け金物は、前記傘状頭部が、円形の平面形状を有していることが好ましい。
【０００８】
また、本発明のボルト受け金物は、前記傘状頭部の前記雌ネジ孔が開口する天面が、平坦な面となるように形成されていることが好ましい。
【０００９】
さらに、本発明のボルト受け金物は、前記傘状頭部の下面が、漏斗状のテーパー面となっていることが好ましい。
【００１０】
さらにまた、本発明のボルト受け金物は、前記ビス孔が、前記雌ネジ孔の外側部分に、前記雌ネジ孔と同心の円に沿って周方向に等間隔をおいて６箇所に設けられていることが好ましい。
【００１１】
一方、本発明は、上記いずれかのボルト受け金物を用いた木製骨組部材の接合部構造であって、  接合すべき一方の骨組部材の側面に先行孔を形成して、該先行孔に前記円筒部を挿入すると共に、前記傘状頭部の裏面を前記側面に密着させつつ、前記ビス孔に固定ビスを打ち込んで前記ボルト受け金物を前記側面に取り付け、該ボルト受け金物に前記他方の骨組部材から支持されたボルト部材を締着する木製骨組部材の接合部構造を提供することにより、上記目的を達成したものである。
【００１２】
そして、本発明の木製骨組部材の接合部構造は、前記一方の骨組部材の側面に形成した先行孔の周囲に座彫りを形成し、該座彫りに前記傘状頭部を前記側面から突出させることなく収容することが好ましい。
【００１３】
また、本発明の木製骨組部材の接合部構造は、前記先行孔が、前記ボルト受け金物の長さよりも深く形成されることが好ましい。
【発明の効果】
【００１４】
本発明のボルト受け金物又は該ボルト受け金物を用いた木製骨組部材の接合部構造によれば、羽子板ボルト等の引き寄せ用のボルト部材を、接合部の内側からの施工によって効果的に締着することを可能にして、一対の木製骨組部材を強固に緊結させることができる。
【発明を実施するための最良の形態】
【００１５】
本発明の好ましい一実施形態に係るボルト受け金物１０は、図１に示すように、一対の木製骨組部材１１，１２として、例えば胴差１１と梁１２とのＴ字形状の接合部１３において、当該接合部１３の内側（屋内側）からの作業によって、引き寄せ金物１４を用いて胴差１１と梁１２とを緊結して、これらの接合部１３を効果的に補強するために用いられる。
【００１６】
そして、本実施形態のボルト受け金物１０は、一対の木製骨組部材１１，１２の接合部１３において、一方の骨組部材としての胴差１１の側面に埋め込むように取り付けられ、他方の骨組部材としての梁１２から支持された引き寄せ金物１４のボルト部材１５を締着することにより、梁１２を他方の胴差１１に引き寄せて、一対の木製骨組部材１１，１２を緊結する際に使用する金物であって、図２（ａ），（ｂ）にも示すように、円筒部１６と、円筒部１６の一端部から外側に傘状に張り出して設けられた傘状頭部１７とからなり、円筒部１６及び傘状頭部１７を貫通して、内周面に雌ネジ溝１８が設けられた雌ネジ孔１９が形成されており、傘状頭部１７には、雌ネジ孔１９の外側部分に、周方向に間隔において分散配置された複数のビス孔２０が、傘状頭部１７を貫通して形成されている。
【００１７】
また、本実施形態のボルト受け金物１０を用いた木製骨組部材１１，１２の接合部構造２１は、図３に示すように、接合すべき一方の骨組部材である胴差１１の側面に先行孔２２を形成して、この先行孔２２にボルト受け金物１０の円筒部１６を挿入すると共に、傘状頭部１７の裏面を胴差１１の側面に密着させつつ、ビス孔２０に固定ビス２３を打ち込んでボルト受け金物１０を胴差１１の側面に取り付け、取り付けたボルト受け金物１０に他方の骨組部材である梁１２（図１参照）から支持された引き寄せ金物１４のボルト部材１５を締着することによって構成されている。
【００１８】
さらに、本実施形態の接合部構造２１では、胴差１１の側面に形成した先行孔２２の周囲に座彫り２４を形成し、この座彫り２４にボルト受け金物１０の傘状頭部１７を胴差１１の側面から突出させることなく収容するようになっており、また先行孔２２は、ボルト受け金物１０の長さよりも深く形成されている。
【００１９】
本実施形態では、ボルト受け金物１０は、例えばスクリューワッシヤーの頭部に、皿ビス用の６個の穴を穿孔した金物であって、図２（ａ），（ｂ）に示すように、傘状頭部１７は、円形の平面形状を有している。また、傘状頭部１７の雌ネジ孔１９が開口する天面１７ａは、平坦な面となるように形成されており、傘状頭部１７の下面１７ｂは、漏斗状のテーパー面となっている。さらに、傘状頭部１７には、ビス孔２０が、雌ネジ孔１９の外側部分に、雌ネジ孔１９と同心の円に沿って周方向に等間隔をおいて６箇所に設けられている。さらにまた、本実施形態では、傘状頭部１７の天面１７ａの中央部分には、雌ネジ孔１９の開口部と重なるようにして、六角係止穴２５が設けられている。例えば、ボルト受け金物１０の円筒部１６の外周面にスクリューネジを形成して、ボルト受け金物１０を胴差１１にねじ込んで固定する際に、六角係止穴２５に六角レンチ等を係止して、ねじ込む操作をスムーズに行うことが可能になる。
【００２０】
ここで、本実施形態では、雌ネジ孔１９には、例えばＭ１２程度の雌ネジ溝１８が、六角係止穴２５の部分を除いて、傘状頭部１７から円筒部１６にかけた内周面の略全長に形成されている。また、ビス孔２０には、傘状頭部１７の天面１７ａに開口する上端部に、拡径した段差部２０ａが設けられており、この段差部２０ａに、固定ビス２３の頭部２３ａを、傘状頭部１７の天面１７ａから突出させることなく収容できるようになっている。
【００２１】
上述の構成を有するボルト受け金物１０を胴差１１の側面に取り付けるには、接合部１３の内側（屋内側）からの作業によって、引き寄せ金物１４のボルト部材１５を打ち込みたい位置に、ボルト受け金物１０の円筒部１６と同寸かやや太い径のドリル刃を用いて、例えば深さが５０ｍｍの先行穴２２を形成する。次に、先行穴２２を中心にして、下面１７ｂが漏斗状のテーパー面となった傘状頭部１７の全体を納めることのできる形状の、例えば漏斗状の座彫り２４を専用の切削刃を用いて形成する。さらに、座彫り２４に傘状頭部１７を収容しつつ円筒部１６を雌ネジ孔１９に挿入し、傘状頭部１７の裏面を胴差１１の側面に密着させた状態で、例えばインパクトドライバを用いてビス孔２０に固定ビス２３を打ち込むことにより、ボルト受け金を固定する。
【００２２】
しかる後に、引き寄せ金物１４のボルト部材１５の先端を、ボルト受け金物１０に設けられた雌ネジ孔１９に螺合し、さらに回転させながら強く締着させることにより、胴差１１側に梁１２を引き寄せ、接合部構造２１を形成する。ここで、羽子板ボルトとしての引き寄せ金物１４は、図１に示すように、Ｌ形座金２６とボルト部材１５とからなり、Ｌ形座金２６を固定ボルト２７を用いて梁１２の側面に固定すると共に、一端部が引き寄せ金物１４に螺合されるボルト部材１５の他端部を、Ｌ形座金２６の垂直支持部２６ａに支持させて、当該垂直支持部２６ａにナット２８を用いて締着させるようになっている。
【００２３】
そして、本実施形態のボルト受け金物１０及び接合部構造２１によれば、上述のように、引き寄せ金物１４のボルト部材１５を、接合部１３の内側（屋内側）からの施工によって、接合部１３の外側（屋外側）からの作業を要することなく効果的に締着することを可能にして、一対の木製骨組部材１１，１２を強固に緊結させることが可能になる。
【００２４】
また、本実施形態では、天面１７ａが平坦な面となった傘状頭部１７が座彫り２４に収容され、且つ固定ビス２３の頭部２３ａが段差部２０ａに収容されて、ボルト受け金物１０は、その全体が胴差１１の側面に突出することなく埋め込まれるので、他の金物と干渉することがなく、例えば新設の追加梁の端部おいて、梁受金物と一緒に用いることが可能になる。先行孔２２を、ボルト受け金物１０の長さよりも深く形成することにより、ボルト部材１５による締着長さを増加することが可能になる。
【００２５】
さらに、本実施形態では、ボルト受け金物１０は、例えば６本の固定ビス２３によって胴差１１の側面に固定されることにより、例えば３ｔ以上の十分な引抜き耐力を備えることになり、例えば羽子板ボルトに与えられている接合部倍率１．４倍、あるいは１．６倍に対しても、十分な余力を有する接合部構造２１を形成することが可能になる。因みに、接合部倍率１．４倍での必要引抜き耐力は、概ね２．４ｔほどである。
【００２６】
なお、本発明は上記実施形態に限定されることなく種々の変更が可能である。例えば、本発明のボルト受け金物１０は、羽子板ボルト以外の、例えばホールダウン金物等のその他の引き寄せ金物１４を締着させるべく用いることができる。また、傘状頭部は、円形の平面形状を有している必要は必ずしもなく、ビス孔を、雌ネジ孔の外側部分に、雌ネジ孔と同心の円に沿って周方向に等間隔をおいて６箇所に設ける必要は必ずしもない。
【図面の簡単な説明】
【００２７】
【図１】本発明の好ましい一実施形態に係るボルト受け金物を用いて一対の木製骨組部材を緊結する状況を説明する部分斜視図である。
【図２】本発明の好ましい一実施形態に係るボルト受け金物の（ａ）は平面図、（ｂ）は（ａ）のＡ−Ａに沿った断面図である。
【図３】本発明の好ましい一実施形態に係る木製骨組部材の接合部構造の要部断面図である。
【符号の説明】
【００２８】
１０  ボルト受け金物
１１  胴差（一方の骨組部材）
１２  梁（他方の骨組部材）
１３  一対の木製骨組部材の接合部
１４  引き寄せ金物
１５  引き寄せ金物のボルト部材
１６  ボルト受け金物の円筒部
１７  ボルト受け金物の傘状頭部
１８  雌ネジ溝
１９  雌ネジ孔
２０  ビス孔
２１  接合部構造
２２  先行孔
２３  固定ビス
２４  座彫り
２５  六角係止穴
２６  引き寄せ金物のＬ形座金
【図１】
2008190162.tif 000003
【図２】
2008190162.tif 000004
【図３】
2008190162.tif 000005